(57)【要約】【課題】ファイバヘッドを取付板の取付孔に対して常に一定の位置に規制して取り付けることができるファイバヘッドを提供する。【解決手段】光ファイバ１４の先端にスリーブ１５を嵌着してなるファイバヘッド１３を、取付板１１の取付孔１２に挿通した状態で取り付ける。スリーブ１５には大径状の主筒部１６と小径状の先端筒部１７とを設け、それらの外周にはネジ部１６ａ，１７ａを形成する。スリーブ１５の先端筒部１７を取付孔１２に挿通した状態で、取付板１１の両側方から先端筒部１７及び主筒部１６上のネジ部１７ａ，１６ａに取付具１８及びナット２２を螺合する。取付具１８には、取付板１１の検出領域Ｓ側の側面に当接可能な台座部１９と、取付板１１の取付孔１２に挿入可能な連結筒部２０とを設ける。取付具１８及びナット２２の螺合状態で、取付具１８の台座部１９とナット２２との間に取付板１１が挟持されるように構成する。【選択図】図１
2008244415.tif 000002
【特許請求の範囲】
【請求項１】
光ファイバの先端外周にスリーブを嵌着したファイバヘッドを、所定位置に設けられた取付板の取付孔に挿通した状態で取り付ける取付構造であって、
前記スリーブには、外周にネジ部を形成した主筒部と、その主筒部の先端側に突設されるとともに、外周にネジ部を形成した前記主筒部よりも小径の先端筒部とを設け、
前記スリーブの先端筒部を前記取付板の取付孔に挿入させた状態で、前記取付板の検出領域側から該先端筒部上のネジ部に螺合されるネジ孔を有する取付具と、
前記主筒部と先端筒部の段差部を、前記取付具のネジ孔に対する先端筒部上のネジ部の螺合量を所定量に設定する螺合量設定部とし、
前記取付板の検出領域と反対側から前記スリーブの主筒部上のネジ部に螺合されるナットとを備え、
前記スリーブの先端筒部のネジ部に前記取付具が螺合され、主筒部上のネジ部に前記ナットが螺合された状態で、前記取付具とナットとの間に前記取付板が挟持されるようにしたことを特徴とするファイバヘッドの取付構造。
【請求項２】
光ファイバの先端外周にスリーブを嵌着したファイバヘッドを、所定位置に設けられた取付板の取付孔に挿通した状態で取り付ける取付構造であって、
前記スリーブの外周にはネジ部を形成し、
前記スリーブの先端筒部を前記取付板の取付孔に挿通させた状態で、該取付板の検出領域側からスリーブの先端筒部上のネジ部に螺合されるネジ孔を有する取付具と、
前記取付具のネジ孔の先端部と対応して形成され、かつ先端筒部の先端面を位置決めして前記取付具のネジ孔に対する先端筒部のネジ部の螺合量を所定量に設定する螺合量設定部と、
前記取付板の検出領域と反対側から前記スリーブのネジ部に螺合されるナットとを備え、
前記取付具のネジ孔に前記スリーブの先端筒部のネジ部が螺合され、かつ、該スリーブのネジ部に前記ナットが螺合された状態で、前記取付具とナットとの間に前記取付板が挟持されるようにしたことを特徴とするファイバヘッドの取付構造。
【請求項３】
光ファイバの先端外周にスリーブを嵌着したファイバヘッドを、所定位置に設けられた取付板の取付孔に挿通した状態で取り付ける取付構造であって、
前記スリーブには、主筒部と、その主筒部の先端側に一体に形成されるとともに、外周にネジ部を形成した先端筒部とを設け、
前記スリーブの先端筒部を前記取付板の取付孔に挿入させた状態で、該取付板の検出領域側からスリーブの先端筒部上のネジ部に螺合されるネジ孔を有する取付具と、
前記スリーブの主筒部の外周面に形成され、かつ前記スリーブの先端筒部の前記取付孔への挿入量を設定することにより、前記取付具のネジ孔に対する先端筒部上のネジ部の螺合量を所定量に設定する螺合量設定部とを備え、
前記取付具のネジ孔に前記スリーブの先端筒部上のネジ部が螺合され、該スリーブの主筒部上の螺合量設定部が前記取付板の検出領域と反対側の側面に当接された状態で、前記取付具と螺合量設定部との間に前記取付板が挟持されるようにしたことを特徴とするファイバヘッドの取付構造。
【請求項４】
前記取付板の検出領域と反対側の側面とナットとの間にスペーサを介装したことを特徴とする請求項１又は２に記載のファイバヘッドの取付構造。
【請求項５】
前記取付板の取付孔には検出領域側に向かって次第に拡径するテーパ孔部を形成し、前記取付具の外周面には取付孔のテーパ孔部に係合可能なテーパ面を形成したことを特徴とする請求項１〜４のいずれか一項に記載のファイバヘッドの取付構造。
【請求項６】
前記取付板の検出領域側の側面には、前記取付具の先端外周部に形成された鍔状の台座部を収容するための凹部が形成されていることを特徴とする請求項１〜５のいずれか一項に記載のファイバヘッドの取付構造。
【請求項７】
前記取付具の先端面には工具を係合可能な係合溝が形成され、取付具のネジ孔の先端部内周には前記係合溝に係合された工具が光ファイバの先端に干渉するのを防止するための干渉防止部が設けられていることを特徴とする請求項１〜６のいずれか一項に記載のファイバヘッドの取付構造。
【請求項８】
前記干渉防止部は、前記取付具のネジ孔の先端部内周に形成された干渉防止フランジであって、そのフランジの内周面には、外側ほど大径となるテーパ面が形成されていることを特徴とする請求項７に記載のファイバヘッドの取付構造。
【請求項９】
請求項１〜請求項８のうちのいずれか一項に記載のファイバヘッドの取付構造に用いる取付具であって、
前記取付具の先端面に回転用工具を係合させるための係合溝を設けたことを特徴とするファイバヘッドの取付構造に用いる取付具。
【請求項１０】
前記取付具の外周面に回転用工具を係合させるための角形の係合部を設けたことを特徴とする請求項９に記載のファイバヘッドの取付構造に用いる取付具。
【発明の詳細な説明】
【技術分野】
【０００１】
この発明は、例えば工場の製造ライン等において物品の監視等を行うために、投光側及び受光側の所定位置に設けた取付板に取り付けられるファイバヘッドの取付構造及びそれに用いる取付具に関するものである。
【背景技術】
【０００２】
従来、この種のファイバヘッドの取付構造としては、例えば特許文献１に開示されるような構成が提案されている。この従来構成においては、光ファイバと、その光ファイバの先端に固定された円筒状のホルダと、そのホルダの外周の膨大球部上に傾動可能に嵌着された円筒状の固定具とにより、ファイバヘッドが構成されている。固定具の外周には、軸線方向のほぼ全長にわたってネジ部が形成されている。そして、ファイバヘッドの固定具を取付板の取付孔に挿通した状態で、取付板の検出領域側及び検出領域と反対側から、固定具上のネジ部に一対のナットが螺合されることにより、ファイバヘッドが取付板に取り付けられて、検出領域に対応配置されるように構成されている。
【特許文献１】実開平６−４７０８号公報
【発明の開示】
【発明が解決しようとする課題】
【０００３】
ところが、この従来のファイバヘッドの取付構造においては、固定具が円筒状に形成されて、取付板の取付孔に対する固定具の挿通組付位置が規制されていない。このため、取付板の取付孔にファイバヘッドの固定具を挿通固定する際に、一対のナットの締め付け加減によって、取付板の取付孔に対する固定具の挿通組付位置が変わってしまうという問題があった。
【０００４】
すなわち、取付板の検出領域側に位置するナットの締め付け量が多くなると、ファイバヘッドの先端部が取付板の側面から検出領域側に大きく突出して、被検出物と干渉するおそれがあった。それに対して、取付板の検出領域と反対側に位置するナットの締め付け量が多くなると、ファイバヘッドの先端部が取付板の側面から没入して、検出領域側のナットによる固定具の締め付け強度が不足するおそれがあった。
【０００５】
この発明は、このような従来の技術に存在する問題点に着目してなされたものである。その目的は、ファイバヘッドを取付板の取付孔に対して常に一定の位置に規制して取り付けることができるファイバヘッドの取付構造及びそれに用いる取付具を提供することにある。
【課題を解決するための手段】
【０００６】
上記問題点を解決するために、請求項１に記載の発明は、光ファイバの先端外周にスリーブを嵌着したファイバヘッドを、所定位置に設けられた取付板の取付孔に挿通した状態で取り付ける取付構造であって、前記スリーブには、外周にネジ部を形成した主筒部と、その主筒部の先端側に突設されるとともに、外周にネジ部を形成した前記主筒部よりも小径の先端筒部とを設け、前記スリーブの先端筒部を前記取付板の取付孔に挿入させた状態で、前記取付板の検出領域側から該先端筒部上のネジ部に螺合されるネジ孔を有する取付具と、前記主筒部と先端筒部の段差部を、前記取付具のネジ孔に対する先端筒部上のネジ部の螺合量を所定量に設定する螺合量設定部とし、前記取付板の検出領域と反対側から前記スリーブの主筒部上のネジ部に螺合されるナットとを備え、前記スリーブの先端筒部のネジ部に前記取付具が螺合され、主筒部上のネジ部に前記ナットが螺合された状態で、前記取付具とナットとの間に前記取付板が挟持されるようにしたことを要旨とする。
【０００７】
請求項２に記載の発明は、光ファイバの先端外周にスリーブを嵌着したファイバヘッドを、所定位置に設けられた取付板の取付孔に挿通した状態で取り付ける取付構造であって、前記スリーブの外周にはネジ部を形成し、前記スリーブの先端筒部を前記取付板の取付孔に挿通させた状態で、該取付板の検出領域側からスリーブの先端筒部上のネジ部に螺合されるネジ孔を有する取付具と、前記取付具のネジ孔の先端部と対応して形成され、かつ先端筒部の先端面を位置決めして前記取付具のネジ孔に対する先端筒部のネジ部の螺合量を所定量に設定する螺合量設定部と、前記取付板の検出領域と反対側から前記スリーブのネジ部に螺合されるナットとを備え、前記取付具のネジ孔に前記スリーブの先端筒部のネジ部が螺合され、かつ、該スリーブのネジ部に前記ナットが螺合された状態で、前記取付具とナットとの間に前記取付板が挟持されるようにしたことを要旨とする。
【０００８】
請求項３に記載の発明は、光ファイバの先端外周にスリーブを嵌着したファイバヘッドを、所定位置に設けられた取付板の取付孔に挿通した状態で取り付ける取付構造であって、前記スリーブには、主筒部と、その主筒部の先端側に一体に形成されるとともに、外周にネジ部を形成した先端筒部とを設け、前記スリーブの先端筒部を前記取付板の取付孔に挿入させた状態で、該取付板の検出領域側からスリーブの先端筒部上のネジ部に螺合されるネジ孔を有する取付具と、前記スリーブの主筒部の外周面に形成され、かつ前記スリーブの先端筒部の前記取付孔への挿入量を設定することにより、前記取付具のネジ孔に対する先端筒部上のネジ部の螺合量を所定量に設定する螺合量設定部とを備え、前記取付具のネジ孔に前記スリーブの先端筒部上のネジ部が螺合され、該スリーブの主筒部上の螺合量設定部が前記取付板の検出領域と反対側の側面に当接された状態で、前記取付具と螺合量設定部との間に前記取付板が挟持されるようにしたことを要旨とする。
【０００９】
請求項４に記載の発明は、請求項１又は２に記載のファイバヘッドの取付構造において、前記取付板の検出領域と反対側の側面とナットとの間にスペーサを介装したことを要旨とする。
【００１０】
請求項５に記載の発明は、請求項１〜４のいずれか一項に記載のファイバヘッドの取付構造において、前記取付板の取付孔には検出領域側に向かって次第に拡径するテーパ孔部を形成し、前記取付具の外周面には取付孔のテーパ孔部に係合可能なテーパ面を形成したことを要旨とする。
【００１１】
請求項６に記載の発明は、請求項１〜５のいずれか一項に記載のファイバヘッドの取付構造において、前記取付板の検出領域側の側面には、前記取付具の先端外周部に形成された鍔状の台座部を収容するための凹部が形成されていることを要旨とする。
【００１２】
請求項７に記載の発明は、請求項１〜６のいずれか一項に記載のファイバヘッドの取付構造において、前記取付具の先端面には工具を係合可能な係合溝が形成され、取付具のネジ孔の先端部内周には前記係合溝に係合された工具が光ファイバの先端に干渉するのを防止するための干渉防止部が設けられていることを要旨とする。
【００１３】
請求項８に記載の発明は、請求項７に記載のファイバヘッドの取付構造において、前記干渉防止部は、前記取付具のネジ孔の先端部内周に形成された干渉防止フランジであって、そのフランジの内周面には、外側ほど大径となるテーパ面が形成されていることを要旨とする。
【００１４】
請求項９に記載の発明は、請求項１〜請求項８のうちのいずれか一項に記載のファイバヘッドの取付構造に用いる取付具であって、前記取付具の先端面に回転用工具を係合させるための係合溝を設けたことを要旨とする。
【００１５】
請求項１０に記載の発明は、請求項９に記載のファイバヘッドの取付構造に用いる取付具において、前記取付具の外周面に回転用工具を係合させるための角形の係合部を設けたことを要旨とする。
【００１６】
（作用）
請求項１記載の発明は、ファイバヘッドを取付板の取付孔に挿通組付けする場合には、予めスリーブの主筒部上のネジ部にナットを螺合させた状態で、スリーブの先端筒部を取付板の検出領域と反対側から取付孔に挿通させた後、取付板の検出領域側からスリーブの先端筒部上のネジ部に取付具を螺合させる。すると、取付具の検出領域と反対側の端面が前記主筒部と先端筒部との段差部に形成された螺合量設定部に当接されて、ネジ部に対する取付具の螺合量が所定量に設定される。続いて、スリーブの主筒部のネジ部上でナットを螺進させると、取付具の内側面が取付板の検出領域側の側面に当接されて、その取付具とナットとの間で取付板が挟持される。これにより、光ファイバの先端面が取付板の外側面に対して所定の位置に取付配置される。
【００１７】
よって、ファイバヘッドを取付板の取付孔に対して常に一定の位置に規制して、容易かつ正確に取り付けることができる。
請求項２に記載の発明は、取付具のネジ孔にスリーブの先端筒部上のネジ部を螺合して、先端筒部の先端面を取付具のネジ孔に形成された螺合量設定部に当接させるとともに、スリーブ上のネジ部に螺合されたナットを回動することにより取付具とナットとの間で取付板が挟持される。
【００１８】
請求項３に記載の発明は、取付板の取付孔にスリーブの先端筒部のネジ部を挿入した後、該ネジ部に取付具を螺合することにより、スリーブ上の螺合量設定部が取付板の検出領域と反対側の側面に当接され、前記取付具と螺合量設定部との間で取付板が挟持される。
【発明の効果】
【００１９】
以上のように、この発明によれば、ファイバヘッドを取付板の取付孔に対して常に一定の位置に規制して取り付けることができる。
【発明を実施するための最良の形態】
【００２０】
（第１実施形態）
以下に、この発明の第１実施形態を、図１〜図３に基づいて説明する。
図１及び図２に示すように、検出領域Ｓに対応して配置される取付板１１は側面形ほぼＬ字状に形成され、その取付板１１の平板状の垂直壁部には取付孔１２が形成されている。取付板１１の取付孔１２には、ファイバヘッド１３が取付板１１の検出領域Ｓと反対側から検出領域Ｓ側に挿通した状態で取り付けられている。このファイバヘッド１３は、検出領域Ｓに向けて光を投光し、または検出領域Ｓからの光を受光する光ファイバ１４と、その光ファイバ１４の先端に嵌着された金属製のスリーブ１５とから構成されている。
【００２１】
前記光ファイバ１４は、透光性ファイバ材よりなる芯材１４ａと、その芯材１４ａの外面に被覆された非透光性樹脂材よりなる外皮１４ｂとから構成されている。前記スリーブ１５には、主筒部１６と、その主筒部１６の先端側に一体に突出形成され、かつ前記主筒部１６よりも小径の先端筒部１７とが設けられている。スリーブ１５の主筒部１６及び先端筒部１７の外周面にはネジ部１６ａ，１７ａがそれぞれ形成されている。
【００２２】
図１に示すように、前記スリーブ１５の先端筒部１７が取付板１１の取付孔１２に挿通された状態で、スリーブ１５の先端筒部１７上のネジ部１７ａには、取付板１１の検出領域Ｓ側から金属製の取付具１８が螺合されている。この取付具１８には、図２に示すように取付板１１の検出領域Ｓ側の側面に当接可能な台座部１９と、取付板１１の取付孔１２に挿入可能な連結筒部２０とが一体に設けられている。取付具１８の中心には、先端筒部１７上のネジ部１７ａに螺合するネジ孔２１が形成されている。また、図３に示すように台座部１９の外周には、図示しないスパナ等の回転阻止用工具を係合させるための例えば六角状等の角形の係合部１９ａが形成されている。
【００２３】
図２に示すように、前記主筒部１６と先端筒部１７との境界の段差部は、前記取付具１８のネジ孔２１に対する先端筒部１７のネジ部１７ａの螺合量を所定量に設定する螺合量設定部１６ｂとなっている。前記連結筒部２０の先端面２０ａが前記螺合量設定部１６ｂに当接されることにより先端筒部１７と取付具１８の螺合量が所定量に設定される。
【００２４】
図１に示すように、前記スリーブ１５の主筒部１６上のネジ部１６ａには、取付板１１の検出領域Ｓと反対側から金属製のナット２２が螺合されている。取付板１１の検出領域Ｓと反対側の側面とナット２２との間には、必要に応じて金属、樹脂又はゴム等により形成されたバネ座金としての機能を有するスペーサ２３が介装されている。そして、スリーブ１５の先端筒部１７及び主筒部１６上のネジ部１７ａ，１６ａに取付具１８及びナット２２が螺合された状態で、取付具１８の台座部１９とナット２２との間に取付板１１が挟持されるように構成されている。
【００２５】
図２に示すように、この実施形態においては、取付具１８の連結筒部２０の外径Ｄ１がスリーブ１５の主筒部１６の外径Ｄ２よりも大きくなるように形成されている。また、先端筒部１７の外径Ｄ３が主筒部１６の外径Ｄ２よりも小さくなるように形成されている。取付具１８のネジ孔２１の軸線方向の長さＬ１がスリーブ１５の先端筒部１７の軸線方向の長さＬ２とほぼ同一となるように形成されている。さらに、取付具１８の連結筒部２０の軸線方向の長さＬ３が取付孔１２の軸線方向の長さＬ４とほぼ同一またはそれよりも若干大きくなるように形成されている。
【００２６】
次に、前記のように構成されたファイバヘッド１３の取付構造において、取付板１１の取付孔１２にファイバヘッド１３を取り付ける場合の操作について説明する。
さて、このファイバヘッド１３の取り付け時には、図２に示すように、予めスリーブ１５の主筒部１６上のネジ部１６ａにナット２２を螺合させるとともに、スペーサ２３を嵌挿して配置する。この状態で、スリーブ１５の先端筒部１７を取付板１１の検出領域Ｓと反対側から取付孔１２に挿通させるとともに、取付板１１の検出領域Ｓ側からスリーブ１５の先端筒部１７上のネジ部１７ａに取付具１８を螺合させる。すると、図１に示すように、取付具１８の連結筒部２０の先端面２０ａがスリーブ１５の螺合量設定部１６ｂに当接して、取付具１８とスリーブ１５とが一体化される。これにより、ファイバヘッド１３における光ファイバ１４の先端面が取付具１８の台座部１９の外側面とほぼ同一平面上に配置される。
【００２７】
その後、取付板１１の検出領域Ｓと反対側において、スリーブ１５の主筒部１６のネジ部１６ａ上でナット２２を螺進させる。すると、図１に示すように、取付具１８の台座部１９の内面が取付板１１の検出領域Ｓ側の側面に当接されて、その取付具１８の台座部１９とナット２２との間で取付板１１が挟持される。これにより、ファイバヘッド１３における光ファイバ１４の先端面が取付板１１の外側面に対して所定の位置に取付配置される。
【００２８】
以上のように、この第１実施形態のファイバヘッド１３の取付構造においては、以下の効果を奏する。
（１）前記第１実施形態では、スリーブ１５を大径の主筒部１６と、小径の先端筒部１７とにより形成し、両者の境界の段差部を螺合量設定部１６ｂとし、該螺合量設定部１６ｂに取付具１８の連結筒部２０の先端面２０ａを当接するようにしたので、ネジ孔２１に対する先端筒部１７のネジ部１７ａの螺合量を所定量に容易に設定することができる。また、ファイバヘッド１３における光ファイバ１４の先端面が取付具１８の外側面とほぼ同一平面上に配置され、その後のナット２２の締め付けに伴う取付具１８の台座部１９と取付板１１の側面との当接により、光ファイバ１４の先端面が取付板１１の外側面に対して所定位置に位置決めされる。よって、ファイバヘッド１３を取付板１１の取付孔１２に対して常に一定の位置に規制して、容易かつ正確に取り付けることができる。
【００２９】
（２）前記第１実施形態では、前記取付具１８を台座部１９と連結筒部２０により構成したので、取付板１１に対するファイバヘッド１３の取付状態において、取付板１１の検出領域Ｓ側の側面から取付具１８の台座部１９のみを僅かに突出すればよいため、この突出部分に被検出物が干渉するおそれを防止することもできる。
【００３０】
（３）前記第１実施形態においては、取付具１８の台座部１９の外周にスパナ等の回転阻止用工具を係合させるための六角状の係合部１９ａが形成されている。従って、取付板１１の取付孔１２に対するファイバヘッド１３の取り付け時には、スパナ等の工具を係合部１９ａに係合させて取付具１８を非回転状態に保持し、前記ナット２２を螺進方向に回動させることができる。
【００３１】
（第２実施形態）
次に、この発明の第２実施形態を、前記第１実施形態と異なる部分を中心に説明する。なお、後述する第３〜第９実施形態においても同様とする。
【００３２】
この第２実施形態においては、図４に示すように、取付板１１の板厚が第１実施形態の場合よりも大きくなって、取付具１８の連結筒部２０の軸線方向の長さＬ３が取付孔１２の軸線方向の長さＬ４よりも小さくなっている。このような場合でも、第１実施形態と同一形状の取付具１８を使用して、ファイバヘッド１３を取付板１１に取り付けることができる。
【００３３】
従って、この第２実施形態においても、前記第１実施形態に記載の効果とほぼ同様の効果を得ることができる。
（第３実施形態）
この第３実施形態においては、図５に示すように、取付板１１の板厚が第１実施形態の場合よりも小さくなって、取付具１８の連結筒部２０の軸線方向の長さＬ３が取付孔１２の軸線方向の長さＬ４よりも大きくなっている。前記スペーサ２３の孔は、連結筒部２０の外径よりも大きくなっている。この場合には、取付板１１の検出領域Ｓと反対側の側面とナット２２との間に複数枚のスペーサ２３を介装することにより、取付孔１２の軸線方向の長さＬ４と取付具１８の連結筒部２０の軸線方向の長さＬ３との整合が図られている。
【００３４】
従って、この第３実施形態においても、前記第１実施形態に記載の効果とほぼ同様の効果を得ることができる。また、この第３実施形態では、複数枚のスペーサ２３を使用しているため、取付板１１の板厚が変化して、取付孔１２の軸線方向の長さＬ４と取付具１８の連結筒部２０の軸線方向の長さＬ３とが整合しなくなった場合でも、第１実施形態と同一形状の取付具１８を用いてファイバヘッド１３を取付板１１に取り付けることができる。
【００３５】
（第４実施形態）
この第４実施形態においては、図６に示すように、取付具１８の連結筒部２０の外径Ｄ１がスリーブ１５の主筒部１６の外径Ｄ２よりも小さくなるように形成されている。このような場合でも、第１実施形態と同様に、取付具１８をスリーブ１５の先端筒部１７上のネジ部１７ａに螺合させることにより、取付具１８とスリーブ１５とを一体化させることができる。
【００３６】
従って、この第４実施形態においても、前記第１実施形態に記載の効果とほぼ同様の効果を得ることができる。
（第５実施形態）
この第５実施形態においては、図７に示すように、取付板１１の取付孔１２の内周面に検出領域Ｓ側へ向かって次第に拡径するテーパ孔部１２ａが形成されている。また、取付具１８の台座部１９の外周面には取付孔１２のテーパ孔部１２ａに係合可能なテーパ面１９ｃが形成されるとともに、台座部１９の外側面（取付具１８の先端面）には図８に示すようにマイナスのドライバ等の工具を係合させるための係合溝１９ｂが二箇所に直交するように形成されている。
【００３７】
従って、この第５実施形態においても、前記第１実施形態に記載の効果とほぼ同様の効果を得ることができる。また、この第５実施形態においては、図７に示すように、取付板１１に対するファイバヘッド１３の取付状態で、台座部１９のテーパ面１９ｃと取付孔１２のテーパ孔部１２ａとの係合により、取付具１８の台座部１９が取付板１１の検出領域Ｓ側の側面に突出することなく、取付孔１２内に配置される。従って、取付板１１の検出領域Ｓ側の側面から取付具１８の一部等が突出するのを抑制することができて、被検出物が突出部分に干渉するおそれを一層効果的に防止することができる。さらに、台座部１９の外側面にマイナスのドライバを係合する係合溝１９ｂを形成したので、光ファイバ１４の先端面と係合溝１９ｂの底面とを光ファイバ１４の軸方向に関して同じ位置に設定することができる。プラスのドライバを係合する十字状の係合溝を形成する場合には、ドライバの先端が先細り形状のため、光ファイバ１４の先端面を損傷させないように係合溝の奥行きを考慮する必要があるが、この実施形態の係合溝１９ｂの場合には上記の煩わしさはない。また、プラスのドライバの係合溝の場合には、サイズの適合したドライバを用いる必要があるが、マイナスのドライバの係合溝１９ｂは、溝の深さは一定でも、溝の幅を大きめに設定することにより、ある程度のサイズの異なるドライバでも操作することができる。
【００３８】
（第６実施形態）
この第６実施形態では、図９に示すように、前記第１実施形態において、前記取付板１１の検出領域Ｓ側の側面に対し、前記取付具１８の台座部１９を収容するための凹部１２ｂを形成している。この第６実施形態では、取付具１８の取付板１１の側面から取付具１８が検出領域Ｓ側に突出しないので、被検出物が突出部分に干渉するおそれを一層効果的に防止することができる。
【００３９】
（第７実施形態）
この第７実施形態においては、図１０に示すように台座部１９及び連結筒部２０の外周面全体にテーパ面１９ｃを形成することにより、台座部１９及び連結筒部２０を円錐台形状に一体に形成している。又、取付具１８のネジ孔２１の先端側内周面にドライバ等の工具が干渉するのを防止する干渉防止部としての干渉防止フランジ１９ｄを一体に形成し、その干渉防止フランジ１９ｄの内周面に外側程大径となるテーパ面１９ｅを形成している。図１１に示すように前記テーパ面１９ｅの光ファイバ１４の軸線Ｏに対する傾斜角αは光ファイバ１４の芯材１４ａからの光の出射開口角（３０°）以上に設定されている。
【００４０】
この第７実施形態では、図７に示す第５実施形態と比較して、連結筒部２０の外端面が取付板１１のテーパ孔部１２ａから後方に突出されていないので、スペーサ２３を省略することもできる。又、係合溝１９ｂにマイナスのドライバの先端が係合されても干渉防止フランジ１９ｄにより光ファイバ１４の先端面にドライバの先端面が接触されず、該先端面が保護される。さらに、テーパ面１９ｅの傾斜角αを出射開口角（３０°）以上に設定したので、光ファイバ１４からの光の検出領域Ｓへの出射を適正に行うことができる。
【００４１】
（第８実施形態）
この第８実施形態では、図１２に示すように、前記スリーブ１５の外径を同一径にするとともに、前記取付具１８のネジ孔２１の先端部内周面に螺合量設定部としての円環状の位置決め突起２４を設けている。この位置決め突起２４にスリーブ１５の先端面を当接させて位置規制し、取付具１８のネジ孔２１に対するスリーブ１５の先端筒部１７のネジ部１７ａの螺合量を所定量に設定するようにしている。
【００４２】
この第８実施形態では、光ファイバ１４の先端面が位置決め突起２４により台座部１９の外側面から軸方向に離隔して配設されるので、光ファイバ１４の先端面が他部材により損傷されるのを防止することもできる。
【００４３】
（第９実施形態）
この第９実施形態では、図１３に示すように、前記取付具１８の軸方向の長さ寸法を取付板１１のテーパ孔部１２ａの軸方向の長さ寸法よりも短くするとともに、スリーブ１５の主筒部１６の先端部外周に対し軸方向から見て例えば六角形状の位置決め部１５ａを一体に形成し、該位置決め部１５ａを前記取付板１１の側面に接触させている。前記位置決め部１５ａは、前記取付孔１２に対する前記先端筒部１７のネジ部１７ａの挿入量を設定することにより、ネジ孔２１に対する前記先端筒部１７上のネジ部１７ａの螺合量を所定量に設定する螺合量設定部としての機能を備えている。この第９実施形態においては、前記先端筒部１７の先端面が台座部１９の干渉防止フランジ１９ｄに当接された状態で、スリーブ１５の位置決め部１５ａが取付板１１の側面に当接される。この第９実施形態において、前記干渉防止フランジ１９ｄを省略してもよい。この場合には、取付具１８と位置決め部１５ａとの間に取付板１１が締め付け保持される。
【００４４】
この第９実施形態では、スリーブ１５の位置決め部１５ａをスパナ等の工具で回動不能に保持した状態で、前記台座部１９の係合溝１９ｂにマイナスのドライバを係合して台座部１９を回転することにより、取付板１１にスリーブ１５と取付具１８が取り付けられる。取付具１８を回転不能に保持した状態で、スリーブ１５を回転することにより取付板１１にスリーブ１５と取付具１８を取り付けるようにしてもよい。
【００４５】
この第９実施形態では、前記ナット２２を省略することができるので、部品点数を低減し、製造を容易に行い、取付板１１に対するスリーブ１５及び取付具１８の取付作業を容易に行うことができる。
【００４６】
（変更例）
なお、上記の各実施形態は、次のように変更して具体化することも可能である。
・図５に示す前記第３実施形態において、複数枚のスペーサ２３を使用することなく、板厚の大きなスペーサ２３を使用すること。
【００４７】
・図１０に示す第７実施形態において、前記干渉防止フランジ１９ｄを省略してネジ孔２１を形成てもよい。この場合には、光ファイバ１４の先端面と係合溝１９ｂの底面との間に光ファイバ１４の軸方向に所定の間隔が形成される。この間隔は前記係合溝１９ｂに係合された工具が光ファイバ１４の先端に干渉するのを防止するための干渉防止部として機能する。
【００４８】
・図１２に示す第８実施形態において、図９に示す第６実施形態の凹部１２ｂの構造を適用してもよい。同じく図１２に示す第８実施形態において、前記取付板１１の取付孔１２及び取付具１８に代えて、図１０に示す第７実施形態の取付板１１のテーパ孔部１２ａ及びテーパ状の取付具１８を適用してもよい。さらに、図１２に示す第８実施形態において、前記取付具１８に代えて、図１３に示す第９実施形態のテーパ孔部１２ａ及び取付具１８を適用してもよい。
【００４９】
・図１３に示す第９実施形態において、図９に示す第６実施形態の凹部１２ｂの構造を適用してもよい。同じく図１３に示す第９実施形態において、前記取付板１１の取付孔１２及び取付具１８に代えて、図１に示す第１実施形態の取付具１８を適用してもよく、位置決め部１５ａに代えて、図１に示す第１実施形態のネジ部１６ａを備えた主筒部１６及び先端筒部１７を有するスリーブ１５と、ナット２２とを用いてもよい。
【００５０】
・図示しないが、反射型の光電センサの光ファイバ１４として、複数本の芯材１４ａを外皮１４ｂにより被覆したものを用いてもよい。
・前記取付具１８を回転させて、取付板１１に取付具１８を取り付けるようにしてもよい。
【００５１】
・図１２に示す第８実施形態において、前記位置決め突起２４の内周面を前記台座部１９のテーパ面１９ｅと同様に外側ほど大径となるテーパ面に形成してもよい。
・前記取付板１１として、Ｌ字状のもの以外に例えばコ字状のものや、単なる平板状のもの或いは前記取付具１８が取り付けられる部分が平板状で他の部分が任意の形状のものを用いてもよい。
【図面の簡単な説明】
【００５２】
【図１】第１実施形態のファイバヘッドの取付構造を示す断面図。
【図２】図１のファイバヘッドの取付構造を分解して示す断面図。
【図３】同ファイバヘッドの取付構造に用いる取付具の正面図。
【図４】第２実施形態のファイバヘッドの取付構造を示す断面図。
【図５】第３実施形態のファイバヘッドの取付構造を示す断面図。
【図６】第４実施形態のファイバヘッドの取付構造を示す断面図。
【図７】第５実施形態のファイバヘッドの取付構造を示す断面図。
【図８】図７のファイバヘッドの取付構造に用いる取付具の正面図。
【図９】この発明の第６実施形態のファイバヘッドの取付構造を示す断面図。
【図１０】この発明の第７実施形態のファイバヘッドの取付構造を示す断面図。
【図１１】第７実施形態の取付具を示す断面図。
【図１２】この発明の第８実施形態のファイバヘッドの取付構造を示す断面図。
【図１３】この発明の第９実施形態のファイバヘッドの取付構造を示す断面図。
【符号の説明】
【００５３】
Ｓ…検出領域、１１…取付板、１２…取付孔、１２ａ…テーパ孔部、１２ｂ…凹部、１３…ファイバヘッド、１４…光ファイバ、１５…スリーブ、１５ａ…螺合量設定部としての位置決め部、１６…主筒部、１６ａ，１７ａ…ネジ部、１６ｂ…螺合量設定部、１７…先端筒部、１８…取付具、１９…台座部、１９ａ…係合部、１９ｂ…係合溝、１９ｃ，１９ｅ…テーパ面、１９ｄ…干渉防止部としての干渉防止フランジ、２０ａ…螺合量設定部としての連結筒部２０の先端面、２１…ネジ孔、２２…ナット、２３…スペーサ。
【図１】
2008244415.tif 000003
【図２】
2008244415.tif 000004
【図３】
2008244415.tif 000005
【図４】
2008244415.tif 000006
【図５】
2008244415.tif 000007
【図６】
2008244415.tif 000008
【図７】
2008244415.tif 000009
【図８】
2008244415.tif 000010
【図９】
2008244415.tif 000011
【図１０】
2008244415.tif 000012
【図１１】
2008244415.tif 000013
【図１２】
2008244415.tif 000014
【図１３】
2008244415.tif 000015